(57)【要約】【課題】運転条件に応じて、効率的にスケールの生成を抑制することが可能な給湯装置を提供すること。【解決手段】貯湯槽５７の下部から入水管路６４を介して送られた水を加熱する加熱手段５５と、入水管路６４に配設され、貯湯槽５７の下部の水を圧送する循環ポンプ６３と、加熱手段５５で加熱された水を貯湯槽５７の上部へと導入する出湯管路６５と、入水管路６４上に配設され、加熱手段５５に圧送される水にスケール抑制剤６７を添加するスケール抑制手段６８と、を備え、外気温度が高いときよりもが低いときの方が、加熱手段５５に流入する水に含まれるスケール抑制剤６７の濃度を大きくすることを特徴とするもので、給湯装置の運転条件によってスケール抑制剤６７の水への溶解度を調整することができるので、スケール抑制剤６７を浪費することなく、スケールの生成を効率的に抑制することができる。【選択図】図１
2014081115.tif 000002
【特許請求の範囲】
【請求項１】
湯を貯える貯湯槽と、
前記貯湯槽の下部から入水管路を介して送られた水を加熱する加熱手段と、
前記入水管路上に配設され、前記貯湯槽の下部の水を前記加熱手段に圧送する循環ポンプと、
前記加熱手段で加熱された水を前記貯湯槽の上部へと導入する出湯管路と、
前記入水管路上に配設され、前記加熱手段に圧送される水に、スケールの生成を抑制するスケール抑制剤を添加するスケール抑制手段と、を備え、
外気温度が高いときよりもが低いときの方が、前記加熱手段に流入する水に含まれるスケール抑制剤の濃度を大きくすることを特徴とする給湯装置。
【請求項２】
外気温度が高いときよりも低いときのほうが、前記加熱手段に流入する水の流量を小さくすることを特徴とする請求項１に記載の給湯装置。
【請求項３】
前記入水管路上に、前記入水管路の一部を迂回させるバイパス回路を設け、前記スケール抑制手段は、前記バイパス回路に配設されるとともに、前記入水管路に流れる流量と前記バイパス回路に流れる流量との流量比率を調整する流量調節手段と、外気温度を測定する外気温度測定手段と、を備え、前記外気温度測定手段の検出値に基づいて、前記流量比率を調整することを特徴とする請求項１に記載の給湯装置。
【請求項４】
前記スケール抑制剤はポリリン酸塩を主成分とすることを特徴とする請求項１〜３のいずれか１項に記載の給湯装置。
【発明の詳細な説明】
【技術分野】
【０００１】
本発明は、スケール抑制手段を備えた給湯装置に関するものである。
【背景技術】
【０００２】
従来、この種の給湯装置として、貯湯槽に溜めた高温の湯を用いて給湯を行うものがある（例えば、特許文献１参照）。
【０００３】
図１０は、特許文献１の図１に記載された従来の給湯装置を示すものである。図１０に示すように、この給湯装置は、ガスクーラ（給湯熱交換器）１を有するヒートポンプユニット２と、ガスクーラ１にて沸き上げられた湯水が貯留される貯湯タンク３を有する貯湯ユニット４とから構成されている。
【０００４】
また、ヒートポンプユニット２の冷媒循環路は、圧縮機５、ガスクーラ１、膨張弁（減圧装置）６、蒸発器７などから構成され、貯湯ユニット４の水回路は、循環ポンプ８、ガスクーラ１、貯湯槽３などから構成されている。
【０００５】
そして、圧縮機５によって圧縮された高温高圧のガス冷媒をガスクーラ１において貯湯槽３に貯湯された水と熱交換させて水を加熱して沸き上げる。また、貯湯槽３からガスクーラ１に至るまでの水循環路に、スケールの生成を抑制する抑制剤を供給する添加器（スケール抑制手段）９を備えた構成としている。この構成によって、通水に伴い沸き上げ前の低温水に添加剤が添加されるため貯湯ユニット４の水回路におけるスケールの生成が抑制され、水回路における閉塞が防止される。
【０００６】
また、特許文献１には、添加器９を迂回するバイパス回路（図示せず）を備えるとともに、このバイパス回路の分岐箇所に三方弁（図示せず）を設けて、添加器９とバイパス回路とを切り換えて水を流通させる構成が記載されている。
【先行技術文献】
【特許文献】
【０００７】
【特許文献１】特開２０１１−６９５７２号公報
【発明の概要】
【発明が解決しようとする課題】
【０００８】
しかしながら、前記従来の構成では、給湯装置の運転条件の変化に応じて、スケール抑制剤の添加量を調整することができず、スケールの生成を効果的に防止することができないという課題を有していた。また、スケール抑制剤が必要量以上に消費され、これにより、添加器９の寿命が短くなり、交換やメンテンナンスのコストが増大してしまうという課題を有していた。
【０００９】
本発明は上記課題を解決するもので、給湯装置の運転条件の変化に応じてスケール抑制剤の添加量を適切に調整することで、スケール抑制剤を浪費することなく、スケールの析出を抑制することが可能な給湯装置を提供することを目的とする。
【課題を解決するための手段】
【００１０】
前記従来の課題を解決するために、本発明は、湯を貯える貯湯槽と、前記貯湯槽の下部から入水管路を介して送られた水を加熱する加熱手段と、前記入水管路上に配設され、前記貯湯槽の下部の水を前記加熱手段に圧送する循環ポンプと、前記加熱手段で加熱された
水を前記貯湯槽の上部へと導入する出湯管路と、前記入水管路上に配設され、前記加熱手段に圧送される水に、スケールの生成を抑制するスケール抑制剤を添加するスケール抑制手段と、を備え、外気温度が高いときよりもが低いときの方が、前記加熱手段に流入する水に含まれるスケール抑制剤の濃度を大きくすることを特徴とする給湯装置である。
【００１１】
これにより、スケールが生成し易い運転条件に応じて、加熱手段へと流入する水のスケール抑制剤の濃度を調整することができるので、スケール抑制剤の浪費を防止して、その交換や補充などのメンテナンスや維持コストを低減させながら、効果的にスケールの析出を抑制することが可能な信頼性の高い給湯装置を提供することができる。
【発明の効果】
【００１２】
本発明によれば、給湯装置の運転条件に応じてスケール抑制剤の濃度を調整し、スケール抑制剤の浪費を防止しながらスケールの生成を抑制することが可能な給湯装置を提供することができる。
【図面の簡単な説明】
【００１３】
【図１】本発明の実施の形態１における給湯装置の構成図
【図２】水の温度とスケール成分の溶解度との関係を説明する説明図
【図３】本発明の実施の形態１における給湯装置の水の加熱温度と加熱流量との関係を説明する説明図
【図４】同給湯装置における外気温度に対する一日の給湯負荷、加熱温度および加熱流量との関係を説明する説明図
【図５】本発明の実施の形態２における給湯装置の構成図
【図６】（ａ）同給湯装置において外気温度が低いときの流量とスケール抑制剤の濃度との関係を説明する説明図（ｂ）同給湯装置において外気温度が高いときの流量とスケール抑制剤の濃度との関係を説明する説明図
【図７】（ａ）同給湯装置の分流比率を設定する流量調節手段の一例を示す構成図（ｂ）同給湯装置の分流比率を設定する流量調節手段の他の一例を示す構成図
【図８】本発明の実施の形態３における給湯装置の構成図
【図９】本発明の実施の形態４における給湯装置の構成図
【図１０】従来の給湯装置の構成図
【発明を実施するための形態】
【００１４】
第１の発明は、湯を貯える貯湯槽と、前記貯湯槽の下部から入水管路を介して送られた水を加熱する加熱手段と、前記入水管路上に配設され、前記貯湯槽の下部の水を前記加熱手段に圧送する循環ポンプと、前記加熱手段で加熱された水を前記貯湯槽の上部へと導入する出湯管路と、前記入水管路上に配設され、前記加熱手段に圧送される水に、スケールの生成を抑制するスケール抑制剤を添加するスケール抑制手段と、を備え、外気温度が高いときよりもが低いときの方が、前記加熱手段に流入する水に含まれるスケール抑制剤の濃度を大きくすることを特徴とする給湯装置である。
【００１５】
これにより、加熱手段においてスケールの析出が生じやすい外気温度の低い運転条件では、加熱手段へ流入する水に含まれるスケール抑制剤の濃度を大きくすることができ、逆に、外気温度の高い運転条件では、加熱手段へ流入する水に含まれるスケール抑制剤の濃度を小さくすることができるので、給湯装置の運転条件に応じて、効果的にスケールの生成を抑制することができ、また、スケール抑制剤の寿命を長くして、その交換や補充などのメンテンナンスや維持ことを低減することができる。
【００１６】
第２の発明は、特に第１の発明において、外気温度が高いときよりも低いときのほうが、前記加熱手段に流入する水の流量を小さくすることを特徴とする。
【００１７】
これにより、高温の湯が必要とされる低外気温度の運転条件において、水の流量を少なくすることで、加熱手段での水の滞留時間を長くすることができる。よって、加熱手段において単位流量あたりの水が得る熱量が多くなり、加熱手段の出口側の加熱温度を上昇させて、高温の湯を生成することができる。
【００１８】
また、水の流量を少なくすることでスケール抑制手段での水の滞留時間が長くなり、単位流量あたりの水へのスケール抑制剤の溶解量が増大するので、加熱手段にて高温の湯が生成され、スケールが析出しやすい少流量の運転条件において、効果的にスケールの生成を抑制することができる。すなわち、外気温度に応じて流量を調節することで、加熱温度と、スケール抑制剤の濃度とを同時に調整することができる。
【００１９】
第３の発明は、特に第１の発明において、前記入水管路上に、前記入水管路の一部を迂回させるバイパス回路を設け、前記スケール抑制手段は、前記バイパス回路に配設されるとともに、前記入水管路に流れる流量と前記バイパス回路に流れる流量との流量比率を調整する流量調節手段と、外気温度を測定する外気温度測定手段と、を備え、前記外気温度測定手段の検出値に基づいて、前記流量比率を調整することを特徴とするものである。
【００２０】
これにより、スケール抑制手段は、入水管路と並列に設けたバイパス回路に配設された構成としているため、流量の一部を分岐してスケール抑制剤を溶解させて、その他はそのまま加熱手段に流入するので、加熱手段へと流入する水のスケール抑制剤の濃度を運転条件に応じてより適切に調節することができる。
【００２１】
よって、スケール抑制剤の浪費を防止することができるため、スケール抑制剤の寿命が長くなり、その交換や補充などのメンテナンスや維持コストを低減させることができる。また、スケールが生成され易い条件である外気温度が低い場合にはスケール抑制剤の濃度を大きくすることができるので、スケール付着による給湯熱交換器の詰まりも防ぐことができ信頼性の向上を図ることができる。
【００２２】
さらに、外気温度の変化などで貯棟槽下部から流れる水の流量が変更された場合に、バイパス回路の流路抵抗と、バイパス回路によって迂回される入水管路の流路抵抗との比率を調節して、流量に応じた適切なスケール抑制剤の濃度を実現することが可能となり、スケール抑制剤を効率的に使用することができる。
【００２３】
第４の発明は、特に第１〜３のいずれかの発明において、前記スケール抑制剤はポリリン酸塩を主成分とすることを特徴とするものである。
【００２４】
これにより、炭酸カルシウムがスケール化する場合、炭酸カルシウムの結晶の成長を防止することができるため、ガスクーラなど熱交換器内部にスケールの付着、堆積することを防止する効果が大きく、給湯装置の耐久性を向上させるとともに、ガスクーラなどの熱交換器の寿命が長くなり、その交換や補充などのメンテナンスや維持コストを低減させることができる。
【００２５】
以下、本発明の実施の形態について、図面を参照しながら説明する。なお、この実施の形態によって、本発明が限定されるものではない。
【００２６】
（実施の形態１）
図１は、本発明の実施の形態１における給湯装置の構成図である。図１において、給湯装置の熱源である加熱手段５５は、圧縮機５１、給湯熱交換器５２、減圧装置５３および大気熱を吸熱する蒸発器５４からなるヒートポンプサイクルを構成したヒートポンプユニ
ットである。そして、高圧側の冷媒圧力が臨界圧力以上となる二酸化炭素を冷媒とする。
【００２７】
貯湯ユニット５６に収納された貯湯槽５７への給水は、貯湯槽５７下部に接続された給水管５８を通ってなされ、貯湯槽５７上部の高温の湯は給湯管路５９を通り給湯混合弁６０で給水と混合することによって所定の温度の湯にしてから給湯配管６１を通って蛇口６２などの給湯端末から給湯される。
【００２８】
また、貯湯槽５７の下部から入水管路６４、給湯熱交換器５２、出湯管路６５および貯湯槽５７の上部を順次接続することによって沸き上げ回路を構成し、入水管路６４に配設された循環ポンプ６３によって、貯湯槽５７から圧送された水は、給湯熱交換器５２において高温の冷媒により加熱されて貯湯槽５７の上から貯留される。
【００２９】
また、給湯熱交換器５２の水側出口に接続された出湯管路６５には、加熱手段によって沸き上げ加熱された湯温、すなわち加熱温度を検出する温度検出手段６６が設けられ、加熱手段５５を形成するヒートポンプユニットには、外気温度を測定する外気温度測定手段８０が設けられている。なお、外気温度測定手段８０は、蒸発器５４に流入する空気の温度を検知することができるように、ヒートポンプユニットを構成する蒸発器５４に配設され、かつ、蒸発器５４に流入する気流に対して最も風上に配設されている。
【００３０】
さらに、貯湯槽５７と加熱手段５５とを接続する入水管路６４上には、スケール抑制剤６７を充填したスケール抑制手段６８が設けられている。
【００３１】
以上のように構成された給湯装置について、以下にその動作、作用を説明する。
【００３２】
図１の給湯装置において、湯を生成する沸き上げ運転の要求があると、加熱手段５５であるヒートポンプユニットで大気熱を利用した給湯加熱運転を行う。
【００３３】
この場合、圧縮機５１から吐出された臨界圧力以上の高温高圧の冷媒が給湯熱交換器５２に流入し、ここで貯湯槽５７の下部から送られてきた水と熱交換して放熱した後、減圧装置５３で減圧し、さらに、蒸発器５４で大気から熱を吸熱し、ガス化して圧縮機５１に戻る。
【００３４】
この時、温度検出手段６６で検出される給湯熱交換器５２の出口温度（加熱温度）が所定温度となるように循環ポンプ６３の回転数を制御することで、給湯熱交換器５２にて、貯湯槽５７の下部から入水管路６４を通って送られてきた水が加熱され、所定の温度の湯となり、貯湯槽５７の上部から流入し貯留される。
【００３５】
ここで、スケール抑制剤６７を充填したスケール抑制手段６８が入水管路６４上に配設されているので、循環ポンプ６３によって貯湯槽５７の下部から送られてきた水は、スケール抑制手段６８を流れる。
【００３６】
スケール抑制手段６８にて、スケール抑制剤６７が水に溶解し、スケール抑制剤６７が溶解した水が給湯熱交換器５２に流入して、所定の温度になるように加熱される。このとき、水に含まれるスケール抑制剤６７は、特に給湯熱交換器５２にて多く析出する炭酸カルシウムなどの結晶の成長を抑制し、スケールの発生を防止する。
【００３７】
スケール抑制剤６７としては、ポリリン酸塩を主成分とする粒子をスケール抑制手段６８に充填した構成とする。ポリリン酸塩としてはトリポリリン酸ナトリウムやヘキサメタリン酸ナトリウムが代表的であるが、その他のポリリン酸塩を用いても良い。また、ホスホン酸やカルボン酸系高分子電解質等の低分子ポリマーを主成分とするものを用いてもよ
い。
【００３８】
次に、スケールの析出と水の温度の関係について説明する。図２は、横軸に水の温度をとり、縦軸にスケール成分の溶解度をとって、水に対するスケール成分の溶解度を説明する説明図である。図２に示すように、水の温度が高くなればなるほど、スケール成分（例えば、炭酸カルシウムなど）の溶解度は小さくなり、結晶化して水に析出する。
【００３９】
貯湯式の給湯装置の場合、主として、一日の給湯負荷に見合う分の湯を電気代の安い深夜電力を利用して、貯湯槽５７に貯留する。ここで、給湯負荷は、湯を使用する頻度と使用量が多く、外気温度の低い冬に大きく、逆に、外気温度の高い夏には小さい。
【００４０】
季節ごとに異なる給湯負荷に対しては、貯湯槽５７に貯留する湯の加熱温度を変更（例えば、６５℃から９０℃）して対応する。すなわち、給湯負荷の大きい冬には、例えば８５℃（〜９０℃）程度で沸き上げて貯留し、給湯負荷の小さい夏は、冬よりも低い、例えば６５℃〜７０℃程度の加熱温度にて湯を貯留する。この加熱温度は、夏と冬の中間期には、その間の温度となる。
【００４１】
よって、特に給湯熱交換器５２内の水通路表面などに付着、堆積するスケールは、冬における沸き上げ運転のように、加熱温度が高い状況、すなわち、外気温度が低い状況で多く生じることとなる。
【００４２】
よって、スケールの析出が生じやすい運転条件、すなわち外気温度が低い条件において、水に溶解させるスケール抑制剤６７の濃度を大きくすれば、スケールの析出を効果的に抑制することができる。
【００４３】
ここで、貯湯式の給湯装置の場合、一般に、加熱能力は外気温度が変化してもほぼ一定である。また、給湯装置への給水として使用される水道水の温度は、一般に外気温度が低いほど低くなる。図３は、横軸に加熱温度をとり、縦軸に加熱流量、つまり、加熱手段５５にて加熱される水の流量をとって、加熱温度と加熱流量の関係を示した説明図である。
【００４４】
加熱手段５５による加熱能力がほぼ一定であるとすると、図３に示すように、加熱温度は、加熱手段５５に流入する水の流量（加熱流量）を調節して対応することができる。例えば、加熱流量を小さくすることで、加熱流量が大きい場合と比較して、加熱手段５５に水が滞留する時間が長くなるので、単位流量あたりの水が高温の冷媒から得る熱量が多くなる。よって、加熱温度を高くすることができる。したがって、図３に示すように、湯を生成する際の加熱温度の目標値が低いときよりも高いときの方が、加熱手段５５へと流入する水の流量が小さくなるように、循環ポンプ６３の回転数を制御する。これにより、様々な加熱温度を実現することができる。
【００４５】
上述した内容について、図４を用いて説明する。図４は、横軸に外気温度をとり、縦軸に一日の給湯負荷、加熱温度（貯湯温度）、および、加熱流量をとって、外気温度の変化に対する一日の給湯負荷、加熱温度（貯湯温度）、および、加熱流量の変化を示したものである。
【００４６】
図４に示すように、外気温度が低い場合は、外気温度が高い場合よりも、一日の給湯負荷が大きくなる。よって、加熱温度（貯湯温度）を高くする。このとき、単位流量あたりの水が、加熱手段５５にて高温冷媒から得る熱量を大きくするため、図４に示すように、加熱流量が小さくなるように循環ポンプ６３の回転数を制御する。
【００４７】
また、加熱流量を小さくする、すなわち、加熱手段５５に流入する水の流量を小さくす
ると、加熱流量が大きい場合と比較して、入水管路６４を流れる水がスケール抑制手段６８内に滞留する時間が長くなる。よって、水とスケール抑制剤６７が接触する時間が長くなり、スケール抑制剤６７の水への溶解量を多くすることができるので、加熱手段５５へ流入する水におけるスケール抑制剤６７の濃度を増大させることができる。
【００４８】
以上のように、スケールが析出しやすい状況、すなわち、外気温度が低い運転条件において、加熱手段５５に流入する水の流量が小さくなるように循環ポンプ６３の回転数を制御すると、加熱温度を高くすることができるとともに、スケール抑制手段６８において、スケール抑制剤６７が単位流量あたりの水へと溶解する溶解量、すなわち、水に含まれるスケール抑制剤の濃度を大きくすることができ、スケールの析出を抑制することができる。
【００４９】
よって、給湯装置の運転条件に応じて、水に溶解するスケール抑制剤の濃度を調整することができるので、スケール抑制剤を浪費することなく、信頼性の高い給湯装置を提供することができる。
【００５０】
（実施の形態２）
図５は、本発明の実施の形態２における給湯装置の構成図である。本実施の形態において、実施の形態１と同一の部分については同一符号を付し、その詳細な説明は省略する。
【００５１】
図５において、給湯装置の熱源である加熱手段５５は、圧縮機５１、給湯熱交換器５２、減圧装置５３および大気熱を吸熱する蒸発器５４からなるヒートポンプサイクルを構成したヒートポンプユニットである。そして、高圧側の冷媒圧力が臨界圧力以上となる二酸化炭素を冷媒とする。
【００５２】
貯湯ユニット５６に収納された貯湯槽５７への給水は、貯湯槽５７の下部に接続された給水管５８を通ってなされ、貯湯槽５７上部の高温の湯は給湯管路５９を通り給湯混合弁６０で給水と混合することによって所定の温度の湯にしてから、給湯配管６１を通って蛇口６２などの給湯端末から給湯される。
【００５３】
また、貯湯槽５７の下部から循環ポンプ６３、入水管路６４、給湯熱交換器５２、出湯管路６５および貯湯槽５７の上部を順次接続することによって沸き上げ回路を構成し、入水管路６４に配設された循環ポンプ６３によって、貯湯槽５７から圧送された水は、給湯熱交換器５２において高温の冷媒により加熱されて貯湯槽５７の上から貯留される。
【００５４】
また、給湯熱交換器５２の水側出口に接続された出湯管路６５には、加熱手段によって加熱された湯の温度を検出する温度検出手段６６が設けられ、加熱手段５５を形成するヒートポンプユニットには、外気温度を測定する外気温度測定手段８０が設けられている。
【００５５】
さらに、入水管路６４において、入水管路６４の一部を迂回させる別の入水管路であるバイパス回路７４を並列に設け、このバイパス回路７４上にスケール抑制剤６７を充填したスケール抑制手段６８が設けられている。これにより、スケール抑制手段６８が設けられていない入水管路６４が主回路となり、スケール抑制手段６８が配置されたバイパス回路７４は、入水管路６４の副回路を形成することとなる。
【００５６】
以上のように構成された給湯装置について、以下にその動作、作用を説明する。
【００５７】
図５において、貯湯槽５７の水を沸き上げる沸き上げ運転について説明する。貯湯槽５７に蓄えられた水を沸き上げる要求があると、加熱手段５５であるヒートポンプユニットで大気熱を利用した給湯加熱運転を行う。この場合、圧縮機５１から吐出された臨界圧力
以上の高温高圧の冷媒は、給湯熱交換器５２へと流入し、ここで貯湯槽５７の下部から送られてきた水と熱交換し放熱した後、減圧装置５３で減圧され、さらに、蒸発器５４で大気から熱を吸熱し、ガス化して圧縮機５１に戻る。
【００５８】
この時、給湯熱交換器５２の出口温度（加熱温度）、すなわち、温度検出手段６６にて検出される温度が所定温度となるように循環ポンプ６３の回転数を制御することで、給湯熱交換器５２にて、貯湯槽５７の下部から入水管路６４を通って送られてきた水が加熱され、所定の温度の湯となり、貯湯槽５７の上部から流入し貯留される。
【００５９】
ここで、スケール抑制剤６７を充填したスケール抑制手段６８を備えたバイパス回路７４が入水管路６４に並列に接続されているので、循環ポンプ６３によって貯湯槽５７の下部から送られてきた水の一部は、接続部Ａでスケール抑制手段６８を備えたバイパス回路７４側に流れ、残りは入水管路６４側に流れる。
【００６０】
そして、バイパス回路７４側に流れた水には、スケール抑制手段６８に流入してスケール抑制剤６７が溶解し、その後、接続部Ｂで、入水管路６４に流れた水と混合する。接続部Ｂで入水管路６４を流れた水と混合され、スケール抑制剤６７が溶解した水は、給湯熱交換器５２に流入して、所定の温度になるように加熱される。このとき、水に含まれるスケール抑制剤６７は、特に給湯熱交換器５２中で生成する炭酸カルシウムなどの結晶の成長を抑制し、スケールの発生を防止する。
【００６１】
図２は、横軸に水の温度をとり、縦軸にスケール成分の溶解度をとって、水に対するスケール成分の溶解度を説明する説明図である。図２に示すように、水の温度が高くなるほど、スケール成分（例えば、炭酸カルシウムなど）の溶解度は小さくなり、結晶化して水に析出する。
【００６２】
また、前述のように、貯湯式の給湯装置においては、給湯負荷は、湯を使用する頻度と使用量が多く、外気温度の低い冬に大きく、逆に、外気温度の高い夏には小さい。
【００６３】
季節ごとに異なる給湯負荷に対しては、貯湯槽５７に貯留する湯の加熱温度を変更して対応する。すなわち、給湯負荷の大きい冬には、給湯負荷の小さい夏よりも高い、例えば８５℃（〜９０℃）程度の加熱温度にて湯を貯留する。
【００６４】
以上から、特に給湯熱交換器５２内の水通路表面などに付着、堆積するスケールは、冬における沸き上げ運転のように、加熱温度が高い状況下、すなわち、外気温度が低い状況下で多く生じることとなる。
【００６５】
よって、スケールの析出が生じやすい運転条件、すなわち、外気温度が低い条件において、水に溶解させるスケール抑制剤６７の濃度を大きくすれば、スケールの析出を効果的に抑制することができる。
【００６６】
ここで、貯湯式の給湯装置の場合、一般に、加熱能力は外気温度が変化してもほぼ一定である。また、給湯装置への給水として使用される水道水の温度は、一般に外気温度が低いほど低くなる。図３は、横軸に加熱温度をとり、縦軸に加熱流量、つまり、加熱手段５５にて加熱される水の流量をとって、加熱手段５５による加熱能力が一定の場合の加熱温度と加熱流量の関係を示した説明図である。
【００６７】
加熱手段５５による加熱能力が一定であるとすると、図３に示すように、水道から給水される水の加熱温度は、加熱手段５５に流入する水の流量（加熱流量）を調節して対応することができる。例えば、加熱流量を小さくすることで、加熱流量が大きい場合と比較し
て、加熱手段５５に水が滞留する時間が長くなるので、単位流量あたりの水が高温の冷媒から得る熱量が多くなる。よって、加熱温度を高くすることができる。したがって、図３に示すように、湯を生成する際の加熱温度の目標値が低いときよりも高いときの方が、加熱手段５５へと流入する水の流量が小さくなるように、循環ポンプ６３の回転数を制御する。これにより、様々な加熱温度を実現することができる。
【００６８】
上述した内容について、図４を用いて説明する。図４は、横軸に外気温度をとり、縦軸に一日の給湯負荷、加熱温度（貯湯温度）、および、加熱流量をとって、外気温度の変化に対する一日の給湯負荷、加熱温度（貯湯温度）、および、加熱流量の変化を示したものである。
【００６９】
図４に示すように、外気温度が低い場合は、外気温度が高い場合よりも、一日の給湯負荷が多くなる。よって、加熱温度（貯湯温度）を高くする。このとき、加熱手段５５から、単位流量あたりの水へと与えられる熱量を大きくするため、図４に示すように、加熱流量が小さくなるように循環ポンプ６３の回転数を制御する。
【００７０】
以上のように、外気温度が低い方が、スケールが生成しやすく、給湯熱交換器５２の水側流路表面に付着しやすいことになる。よって、スケールの生成と、特に給湯熱交換器５２の水側流路表面に付着とを防止するためには、外気温度が低くなるほど給湯熱交換器５２内へと流入する水に含まれるスケール抑制剤の濃度、すなわち、水の単位質量あたりに含まれるスケール抑制剤の質量を大きくすればよい。
【００７１】
図６は、バイパス回路７４と入水管路６４とを流れる流量と、そのときのスケール抑制剤６７の濃度を説明する説明図である。図６（ａ）は外気温度が低い場合であり、図６（ｂ）は外気温度が高い場合である。
【００７２】
バイパス回路７４は、入水管路６４の途中にある接続部Ａと接続部Ｂとに接続（接続部ＡがＢよりも上流側）されている。そして、バイパス回路７４はスケール抑制剤６７を収納したスケール抑制手段６８を備えている。
【００７３】
接続部Ａで分流した入水管路６４側に流れる流量とバイパス回路側に流れる流量を、図６（ａ）の場合はそれぞれＪ１、Ｋ１とし、図６（ｂ）の場合はそれぞれＪ２、Ｋ２とする。また、スケール抑制手段６８の出口部Ｃを出たあとのスケール抑制剤６７の濃度を、図６（ａ）の場合はＮ１（Ｃ）とし、図６（ｂ）の場合はＮ２（Ｃ）とする。
【００７４】
ここで、図６（ａ）の場合は、図６（ｂ）の場合に比べ外気温度が低く、高温の湯を生成するために加熱流量が小さくなるので、スケール抑制手段６８内の流速が小さくなる。したがって、スケール抑制手段６８内に流入した水とスケール抑制剤６７とが接触する時間が長くなり、その結果、スケール抑制手段６８を出た後の濃度は図６（ａ）の方が大きくなる。すなわち、以下の関係となる。
【００７５】
【数１】
2014081115.tif 000003
【００７６】
また、接続部Ｂの下流側のスケール抑制剤６７の濃度を、図６（ａ）の場合はＮ１（Ｂ）とし、図６（ｂ）の場合はＮ２（Ｂ）とすると、以下の関係式が得られる。
【００７７】
【数２】
2014081115.tif 000004
【００７８】
【数３】
2014081115.tif 000005
【００７９】
さらに、入水管路６４側とバイパス回路７４側に流れる流量の分流比率を、
【００８０】
【数４】
2014081115.tif 000006
【００８１】
とすると、接続部Ｂの下流側のスケール抑制剤６７の濃度とスケール抑制手段６８の出口部Ｃを出たあとのスケール抑制剤６７の濃度との関係は次のようになる。
【００８２】
【数５】
2014081115.tif 000007
【００８３】
以上の（式１）、（式５）より、給湯熱交換器５２に流入する接続部Ｂの下流側のスケール抑制剤６７の濃度の関係は、以下のようになる。
【００８４】
【数６】
2014081115.tif 000008
【００８５】
（式６）からわかるように、外気温度が低い方が、給湯熱交換器５２に流入するスケール抑制剤６７の濃度が大きくなる。外気温度が低い方が、加熱温度が高く、スケールが生成され易い条件であるが、スケール抑制剤６７の濃度を大きくすることができ、給湯熱交換器５２などへのスケール付着を防止、または、少なくすることができる。
【００８６】
よって、図５および図６に示すような、分流比率を設定することが可能なバイパス回路７４によって、加熱手段５５へと流入する水を分流することにより、スケール抑制手段６８に流入する水の流量を適宜調整することが可能となり、これにより、スケール抑制剤６７の水への溶解量を調整することができる。
【００８７】
図７は、バイパス回路７４側と入水管路６４側とへ流れる流量の分流比率を設定する方法を説明する説明図である。
【００８８】
図７（ａ）は、入水管路６４の接続部Ａと接続部Ｂ間の流路抵抗を、例えば管路断面積をバイパス回路７４とは異なるように構成することで変化させ、これにより点ＡＢ間の圧力損失を設定して、その差圧に応じて分岐流量の分流比率を決定することができるようにしたものである。
【００８９】
なお、スケール抑制手段６８の流路抵抗が大きい場合には、図７（ｂ）に示すように、スケール抑制手段６８を備えたバイパス回路７４側に流体の動圧がかかる構成とし、点ＡＢ間の入水管路６４の形状を変更することで、点ＡＢ間の圧力損失を設定し、その差圧に応じて分岐流量の分流比率を必要に応じて決定することができる。
【００９０】
以上のように、貯湯槽下部からの湯水の一部を分岐して、これにスケール抑制剤６７を溶解させ、その他の湯水はスケール抑制手段６８を通過することなく給湯熱交換器５２に流入するので、スケール抑制剤の浪費を防止することができる。よって、スケール抑制剤の寿命が長くなり、その交換や補充などのメンテナンスや維持コストを低減させるという効果がある。
【００９１】
（実施の形態３）
図８は、本発明の実施の形態３における給湯装置の構成図である。
【００９２】
本実施の形態において、他の実施の形態と同一部分には同一符号を付し、その詳細な説明は省略する。
【００９３】
本実施の形態における給湯装置は、図８に示すように、入水管路６４の接続部Ａと接続部Ｂの間に流量調節手段６９を備え、また、流量調節手段６９の動作を制御する制御手段７０を備えている。
【００９４】
流量調節手段６９としては、例えば、給湯装置で一般に使用されている流量制御弁を用いることができ、ステッピングモータを駆動させることによって、流体が通過する流路断面積を変えることによって流量を調節することができる。
【００９５】
以上のように構成された給湯装置について、以下にその動作、作用を説明する。
【００９６】
図８において、接続部Ｂの下流におけるスケール抑制剤６７の濃度を所定の濃度に変更する場合、流量調節手段６９の流路抵抗を変更（例えば、前述したように流路断面積を変更）し、接続部Ａと接続部Ｂの間の圧力損失を変えることによって、スケール抑制手段６８側に分岐して流れる流量（分岐流量）の比率を変更する。
【００９７】
すなわち、流量調節手段６９の流路抵抗を大きく（例えば、弁開度を小さくすることで流路断面積を小さく）すると、接続部Ａと接続部Ｂの間の圧力損失が大きくなるので、分岐流量の比率が大きくなり、逆に、濃度を小さくしたい場合は、流量調節手段６９の流路抵抗を小さく（例えば、流路断面積を大きく）する。
【００９８】
給湯熱交換器５２内にスケールが付着、成長する要因としては、貯湯槽５７に貯留する貯湯温度（加熱温度）がある。加熱温度が高い方がスケールの生成と成長が大きい。また、加熱温度と外気温度とは図４に示すような関係がある。すなわち、外気温度が低い方が、加熱温度が高くなり、スケールの生成されやすく、また、スケールの成長も早い。
【００９９】
そこで、加熱手段５５への流入する湯水に含まれるスケール抑制剤６７の濃度が、外気温度に対して、スケールの生成と成長が抑制されるような濃度となるように、分岐流量の比率を設定すればよい。このとき、スケールの生成と成長がないスケール抑制剤６７の濃度と、外気温度との関係を事前に求めておき、この関係をリモコン７２に記憶させるようにしても良い。
【０１００】
なお、分岐流量の比率は流量調節手段６９を調節することで行うが、必要な流量は循環
ポンプ６３の回転数を調整することで得ることができる。
【０１０１】
このように、外気温度に応じて、流量調節手段６９を一つ使用するだけで、スケールの生成を抑制することが可能なスケール抑制剤６７の濃度を設定できるので、給湯装置の運転条件に応じて、加熱手段５５への流入する水のスケール抑制剤６７の濃度を適切に調整することができる。よって、スケールの析出および付着を長期にわたって防止する信頼性に優れた給湯装置を提供することができるとともに、スケール抑制剤６７の寿命が長くなり、その交換や補充などのメンテナンスや維持コストを低減することができるという効果がある。
【０１０２】
なお、加熱手段５５によって加熱され、貯湯槽５７に貯留される湯の貯湯温度（加熱温度）は、一般的に、６５〜９０℃程度である。ここで、外気温度が低く給湯負荷が大きい場合は加熱温度（貯湯温度）が高いのでスケールの生成と成長が大きいが、加熱温度（貯湯温度）が６５℃〜７０℃前後であれば、スケールの生成が少なく、成長もほとんど無い。
【０１０３】
よって、このようなこのような外気温度条件に相当する外気温度のとき、スケール抑制剤６７の濃度を最小にするように、制御手段７０が流量調節手段６９を調整する構成とすればよい。すなわち、流量調節手段６９の流路抵抗を最小（流量調節手段６９の流体が通過する流路断面積を最大）になるように制御する。
【０１０４】
このように、スケールの生成が少なく、成長もほとんど無いような外気温度の場合には、スケール抑制剤６７の濃度を最小に設定できるので、安全目に高濃度に設定して使用する場合に比べ、スケール添加剤の寿命が長くなり、その交換や補充などのメンテナンスや維持コストが少なくなるという効果がある。
【０１０５】
（実施の形態４）
図９は、本発明の実施の形態４の給湯装置の構成図である。本実施の形態において、他の実施の形態と同一部分については同一符号を付し、その詳細な説明は省略する。
【０１０６】
図９に示すように、２つの出口側流路の断面積を変えることによって、この２つの出口側流路に流れる流量を調節できる流量調節手段６９（三方弁）を接続部Ａ設ける。すなわち、入口側は貯湯槽５７側の入水管路６４に接続し、２つの出口側の一方は加熱手段５５側の入水管路６４側に、他方はバイパス回路７４側に接続する。制御手段７０は、それぞれの出口側の流量が必要な分流比率となるように、この流量調節手段６９の動作を制御する。
【０１０７】
流量調節手段６９としては、例えば、給湯装置で一般に使用されている混合弁を用いることができ、ステッピングモータを駆動させることによって、流体が通過する出口側の流路断面積を変えることによって流量を変更するものである。
【０１０８】
以上のように構成された給湯装置について、以下にその動作、作用を説明する。図９に示す給湯装置において、接続部Ｂの下流における水のスケール抑制剤６７の濃度を所定の濃度に変更する場合、流量調節手段６９の流路抵抗を変更（例えば、流路断面積を変更）する。これにより、バイパス回路７４側（スケール抑制手段６８側）に分岐して流れる流量（分岐流量）とスケール抑制手段６８を備えていない入水管路６４を流れる流量（分岐流量）の比率を変更することができる。すなわち、流量調節手段６９によって、入水管路６４を流れる流量とバイパス回路７４を流れる流量の双方を適宜調整する。
【０１０９】
給湯熱交換器５２内にスケールが付着、成長する要因としては、貯湯槽５７に貯留する
温度（加熱温度）がある。加熱温度が高い方がスケールの生成と成長が大きい。また、外気温度と加熱流量とは図４に示すような関係がある。よって、外気温度が低い方が、スケールが生成されやすく、また、スケールの成長も早い。
【０１１０】
そこで、加熱手段５５への流入する湯水に含まれるスケール抑制剤６７の濃度が、外気温度の条件に対して、スケールの生成と成長が抑制される濃度となるように、流量調節手段６９によって、分岐流量の比率を設定すればよい。このとき、スケールの生成と成長が抑制することが可能な水のスケール抑制剤６７の濃度と、外気温度との関係を事前に求めておき、この関係をリモコン７２に記憶させるようにしても良い。
【０１１１】
なお、分岐流量の比率は流量調節手段６９を調節することで行うが、必要な流量は循環ポンプ６３の回転数を調整することで得ることができる。
【０１１２】
このように、外気温度に応じて、スケールの生成が起こらないスケール抑制剤６７の濃度を設定できるので、給湯装置の運転条件に応じて、加熱手段５５への流入する湯水のスケール抑制剤６７の濃度を適切に調整することができ、スケールの析出および付着を長期にわたって防止する信頼性に優れた給湯装置を提供することができるとともに、スケール抑制剤６７の寿命が長くなり、その交換や補充などのメンテナンスや維持コストを低減することができるという効果がある。
【産業上の利用可能性】
【０１１３】
以上のように、本発明にかかる給湯装置は、運転条件に応じてスケール抑制剤の溶解量を適切に調整し、給湯装置の信頼性を向上させるとともにスケール抑制手段の長寿命化を図ることができるので、家庭用や業務用などの給湯装置に適用することができる。
【符号の説明】
【０１１４】
５５  加熱手段
５７  貯湯槽
６３  循環ポンプ
６４  入水管路
６５  出湯管路
６７  スケール抑制剤
６８  スケール抑制手段
６９  流量調節手段
７４  バイパス回路
８０  外気温度測定手段
【図１】
2014081115.tif 000009
【図２】
2014081115.tif 000010
【図３】
2014081115.tif 000011
【図４】
2014081115.tif 000012
【図５】
2014081115.tif 000013
【図６】
2014081115.tif 000014
【図７】
2014081115.tif 000015
【図８】
2014081115.tif 000016
【図９】
2014081115.tif 000017
【図１０】
2014081115.tif 000018